(57)【要約】【課題】コスト増を抑制することが可能な媒体処理装置を提供する。【解決手段】媒体を計数する媒体計数本体部２と、媒体計数本体部２に直列に接続される媒体搬送路を有して増設可能に設けられ、媒体計数本体部２から搬送されてきた媒体を処理する１つまたは複数の媒体処理ユニット３と、から成り、媒体計数本体部２は、媒体処理ユニット３に向けて電源を供給する少なくとも２系統の電源供給ライン１２４，１２５と、媒体処理ユニット３に向けて制御信号を出力するＩ／Ｆ出力部１３８とを有する。【選択図】図７
2020052528.tif 000002
【特許請求の範囲】
【請求項１】
媒体を計数する媒体計数本体部と、
媒体計数本体部に直列に接続される媒体搬送路を有して増設可能に設けられ、媒体計数本体部から搬送されてきた媒体を処理する１つまたは複数の媒体処理ユニットと、
から成る媒体処理装置であって、
媒体計数本体部は、媒体処理ユニットに向けて電源を供給する少なくとも２系統の電源供給ラインと、媒体処理ユニットに向けて制御信号を出力するＩ／Ｆ出力部とを有することを特徴とする媒体処理装置。
【請求項２】
媒体処理ユニットは、
少なくとも２系統の電源供給ラインから電源が入力される電源入力部と、
電源入力部に接続される少なくとも２系統の内部の電源供給ラインと、
少なくとも２系統の内部の電源供給ラインに接続されて、媒体搬送方向下流側に配置される媒体処理ユニットへ向けて少なくとも２系統の電源供給ラインで電源を出力可能な電源出力部と、
媒体計数本体部からの制御信号に基づいて、少なくとも２系統の内部の電源供給ラインのうちの１系統の内部の電源供給ラインをスイッチ手段によりオン及びオフする電源制御部とを有することを特徴とする請求項１記載の媒体処理装置。
【請求項３】
媒体処理ユニットが、媒体計数本体部に複数接続されており、
一の媒体処理ユニットのスイッチ手段を有する１系統の内部の電源供給ラインが、媒体搬送方向下流側に隣り合う他の媒体処理ユニットのスイッチ手段のない１系統の内部の電源供給ラインとで同じ１系統の第１電源供給ラインを構成し、一の媒体処理ユニットのスイッチ手段のない１系統の内部の電源供給ラインが、媒体搬送方向下流側に隣り合う他の媒体処理ユニットのスイッチ手段を有する１系統の内部の電源供給ラインとで同じ１系統の第２電源供給ラインを構成することを特徴とする請求項２記載の媒体処理装置。
【請求項４】
前記第１電源供給ラインの全てのスイッチ手段をオンした後、第２電源供給ラインのスイッチ手段をオンすることを特徴とする請求項３記載の媒体処理装置。
【発明の詳細な説明】
【技術分野】
【０００１】
本発明は、媒体処理装置に関する。
【背景技術】
【０００２】
従来から、媒体である紙葉類を処理して収納する紙葉類収納装置の外部に一機能を担う貨幣処理ユニットを１台または複数台自由に増設許容できるユニット増設構造を備え、用途に応じて貨幣処理ユニットを装備可能な紙葉類収納装置が知られている（例えば、特許文献１参照）。特許文献１に開示される紙葉類収納装置は、装置本体の内部搬送路に紙葉類収納部を備えた外部搬送路を接続許容して設け、装置本体の外部に金種に応じた複数の紙葉類収納部（貨幣処理ユニット）を増設可能に構成されている。これにより、紙葉類の利用種類数の変更に拘らず、その同数の紙葉類収納部を増減調整して容易に対応させることができ、利用目的に適した装置形態で運用することができる。
【先行技術文献】
【特許文献】
【０００３】
【特許文献１】特開平０７−２６７５１３号公報
【発明の概要】
【発明が解決しようとする課題】
【０００４】
ところで、貨幣処理装置本体の外部に複数台のユニットを連結させる場合には、増設されるユニットに搭載される駆動部品や駆動部品の制御基板およびセンサなどの電気部品など、貨幣処理ユニットの動作に必要となる電力を貨幣処理装置本体側から貨幣処理ユニット側に供給する必要がある。複数の貨幣処理ユニットを増設可能とする場合、最大に増設された場合でも適正な電源供給を行う必要があり、増設数が最大よりも少ない場合にはオーパースペックとなる部品が生じ、コスト増になってしまう。
【０００５】
従って、本発明は、コスト増を抑制することが可能な媒体処理装置を提供することを目的とする。
【課題を解決するための手段】
【０００６】
上記目的を達成するために、本発明に係る第１の態様は、媒体を計数する媒体計数本体部と、媒体計数本体部に直列に接続される媒体搬送路を有して増設可能に設けられ、媒体計数本体部から搬送されてきた媒体を処理する１つまたは複数の媒体処理ユニットと、から成る媒体処理装置であって、媒体計数本体部は、媒体処理ユニットに向けて電源を供給する少なくとも２系統の電源供給ラインと、媒体処理ユニットに向けて制御信号を出力するＩ／Ｆ出力部とを有することを特徴とする。
【０００７】
上記第１の態様によれば、媒体処理ユニットは、媒体計数本体部から少なくとも２系統の電源供給ラインで電源が供給されることになり、これら少なくとも２系統の電源供給ラインで供給される電源が、媒体計数本体部のＩ／Ｆ出力部から出力された制御信号で制御されることになる。よって、電源供給ラインの１系統当たりの最大定格電流を抑えることが可能となる。したがって、コスト増を抑制することが可能となる。
【０００８】
本発明に係る第２の態様は、上記第１の態様において、媒体処理ユニットは、少なくとも２系統の電源供給ラインから電源が入力される電源入力部と、電源入力部に接続される少なくとも２系統の内部の電源供給ラインと、少なくとも２系統の内部の電源供給ラインに接続されて、媒体搬送方向下流側に配置される媒体処理ユニットへ向けて少なくとも２系統の電源供給ラインで電源を出力可能な電源出力部と、媒体計数本体部からの制御信号に基づいて、少なくとも２系統の内部の電源供給ラインのうちの１系統の内部の電源供給ラインをスイッチ手段によりオン及びオフする電源制御部とを有することを特徴とする。
【０００９】
上記第２の態様によれば、媒体処理ユニットは、その電源制御部が、媒体計数本体部からの制御信号に基づいて、少なくとも２系統の内部の電源供給ラインのうちの１系統の内部の電源供給ラインをスイッチ手段によりオン及びオフするため、媒体計数本体部からの通信制御により電源の起動タイミングをずらせる構成となる。これにより、電源投入時の突入電流を抑制することが可能となる。
【００１０】
本発明に係る第３の態様は、上記第２の態様において、媒体処理ユニットが、媒体計数本体部に複数接続されており、一の媒体処理ユニットのスイッチ手段を有する１系統の内部の電源供給ラインが、媒体搬送方向下流側に隣り合う他の媒体処理ユニットのスイッチ手段のない１系統の内部の電源供給ラインとで同じ１系統の第１電源供給ラインを構成し、一の媒体処理ユニットのスイッチ手段のない１系統の内部の電源供給ラインが、媒体搬送方向下流側に隣り合う他の媒体処理ユニットのスイッチ手段を有する１系統の内部の電源供給ラインとで同じ１系統の第２電源供給ラインを構成することを特徴とする。
【００１１】
上記第３の態様によれば、一の媒体処理ユニットのスイッチ手段を有する１系統の内部の電源供給ラインが、媒体搬送方向下流側に隣り合う他の媒体処理ユニットのスイッチ手段のない１系統の内部の電源供給ラインとで同じ１系統の第１電源供給ラインを構成し、一の媒体処理ユニットのスイッチ手段のない１系統の内部の電源供給ラインが、媒体搬送方向下流側に隣り合う他の媒体処理ユニットのスイッチ手段を有する１系統の内部の電源供給ラインとで同じ１系統の第２電源供給ラインを構成するため、簡素な構造で一の媒体処理ユニットと他の媒体処理ユニットとに別々のタイミングで電源供給を行うことができる。したがって、コスト増を更に抑制することが可能となる。
【００１２】
本発明に係る第４の態様は、上記第３の態様において、前記第１電源供給ラインの全てのスイッチ手段をオンした後、第２電源供給ラインのスイッチ手段をオンすることを特徴とする。
【００１３】
上記第４の態様によれば、第１電源供給ラインの全てのスイッチ手段をオンした後、第２電源供給ラインのスイッチ手段をオンするため、電源供給ラインの１系統当たりの最大定格電流を抑えることができる。したがって、コスト増を抑制することが可能となる。
【発明の効果】
【００１４】
本発明によれば、コスト増を抑制することが可能な媒体処理装置を提供することができる。
【図面の簡単な説明】
【００１５】
【図１】本発明に係る媒体処理装置の第１実施形態である紙葉類処理装置の基本構成を示す正面図である。
【図２】本発明に係る媒体処理装置の第１実施形態である紙葉類処理装置の基本構成を正面側から見た内部の概略構成図である。
【図３】本発明に係る媒体処理装置の第１実施形態である紙葉類処理装置の基本構成を示す斜視図である。
【図４】本発明に係る媒体処理装置の第１実施形態である紙葉類処理装置の収容ユニット本体部を示す斜視図である。
【図５】本発明に係る媒体処理装置の第１実施形態である紙葉類処理装置の収容ユニット本体部を示す斜視図である。
【図６】本発明に係る媒体処理装置の第１実施形態である紙葉類処理装置の一例の構成を示す正面図である。
【図７】本発明に係る媒体処理装置の第１実施形態である紙葉類処理装置の一例の構成の電源系統を示す図である。
【図８】本発明に係る媒体処理装置の第１実施形態である紙葉類処理装置の一例の構成の電源系統を示す図である。
【図９】本発明に係る媒体処理装置の第１実施形態である紙葉類処理装置の一例の構成の電源系統を示す図である。
【図１０】本発明に係る媒体処理装置の第１実施形態である紙葉類処理装置の一例の構成の電源系統を示す図である。
【図１１】本発明に係る媒体処理装置の第１実施形態である紙葉類処理装置の一例の構成の電源系統を示す図である。
【図１２】本発明に係る媒体処理装置の第１実施形態である紙葉類処理装置の一例の構成の電源系統を示す図である。
【図１３】本発明に係る媒体処理装置の第１実施形態である紙葉類処理装置の一例の構成の電源系統を示す図である。
【図１４】本発明に係る媒体処理装置の第１実施形態である紙葉類処理装置の一例の構成の電源系統を示す図である。
【図１５】本発明に係る媒体処理装置の第１実施形態である紙葉類処理装置の一例の構成の電源系統を示す図である。
【図１６】本発明に係る媒体処理装置の第２実施形態である紙葉類処理装置の一例の構成の電源系統を示す図である。
【発明を実施するための形態】
【００１６】
［第１実施形態］
本発明に係る媒体処理装置の第１実施形態である紙葉類処理装置を図１〜図１５を参照して以下に説明する。図１に示す本実施形態の紙葉類処理装置１は、媒体として紙幣等の紙葉類Ｓを分類処理するものであり、投入された紙葉類Ｓを、計数対象である計数対象紙葉類と計数対象ではないリジェクト紙葉類とに分類し、計数対象紙葉類を更に種類別に計数して種類別に収容し、計数結果と収容先とを関連付けて表示するものである。以下の説明において、「前」は操作者側、「後」は操作者とは反対側、「右」は操作者から見て右側、「左」は操作者から見て左側である。
【００１７】
第１実施形態の紙葉類処理装置１は、図１に示すように、紙葉類Ｓを計数する計数ユニット２（媒体計数本体部）と、計数ユニット２から搬送されてきた紙葉類Ｓを分類収容処理する収容ユニット３（媒体処理ユニット）とが組み合わせられて構成されている。紙葉類処理装置１は、１台の計数ユニット２に対し１台のみの収容ユニット３を付設して構成したり、１台の計数ユニット２に対し複数台の収容ユニット３を連設して構成したりすることが可能となっている。紙葉類処理装置１は、１台の計数ユニット２に対し１台のみの収容ユニット３を付設する構成が基本構成となっており、この基本構成に対して、収容ユニット３の増設が可能となっている。
【００１８】
図１においては１台の計数ユニット２に１台のみの収容ユニット３を組み合わせた基本構成の紙葉類処理装置１を示している。まず、この基本構成の紙葉類処理装置１について説明する。
【００１９】
図１〜図３に示すように、計数ユニット２は、その右側面側の下部に設けられて右側面及び前面に亘って計数ユニット２外、即ち紙葉類処理装置１外に常時開口する受入部１１と、同じく右側面側の上部に設けられて右側面及び前面に亘って計数ユニット２外、即ち紙葉類処理装置１外に常時開口するリジェクト部１３とを有している。リジェクト部１３及び受入部１１は、前後方向及び左右方向の位置を重ね合わせて上下に並んで配置されている。
【００２０】
図２に示すように、受入部１１には、複数枚の紙葉類Ｓが長辺部を前後に沿わせ、短辺部を左右に沿わせて上下方向に集積された状態でセットされることになる。受入部１１は、このようにセットされた集積状態の紙葉類Ｓを最下のものから一枚ずつ分離し繰り出して紙葉類処理装置１内に取り込む。受入部１１から繰り出される紙葉類Ｓは、その短辺部の延在方向に沿って移動する。
【００２１】
計数ユニット２の内部には、受入部１１から繰り出された紙葉類Ｓを搬送する計数ユニット内搬送構成部２１と、計数ユニット内搬送構成部２１で搬送中の紙葉類Ｓを識別しつつ計数する識別部２２とが設けられている。計数ユニット内搬送構成部２１で搬送される紙葉類Ｓは、その短辺部の延在方向に沿って移動する。識別部２２は、計数ユニット内搬送構成部２１の受入部１１側の端部位置に設けられて、受入部１１が繰り出す紙葉類Ｓの搬送状態を検出する検出部２３と、計数ユニット内搬送構成部２１の検出部２３よりも下流側に設けられて紙葉類Ｓの搬送状態以外の金種等の種類の識別を行う識別本体部２４とを有している。
【００２２】
計数ユニット内搬送構成部２１は、受入部１１から計数ユニット２の左側面に向けて延出する左方延出部２１ａと、左方延出部２１ａの左側面近傍の端部から上方に延出する上方延出部２１ｂと、上方延出部２１ｂの上端部から計数ユニット２の左側面に向け延出して左側面に開口する左方延出部２１ｃと、上方延出部２１ｂの識別部２２よりも上側から分岐し、計数ユニット２の右側面に向け延出してリジェクト部１３に繋がる分岐延出部２１ｅとを有している。計数ユニット内搬送構成部２１には、鉛直方向に沿う上方延出部２１ｂに識別部２２が設けられている。
【００２３】
収容ユニット３の内部には、計数ユニット２の左方延出部２１ｃに接続され、左方延出部２１ｃから繰り出された紙葉類Ｓを搬送する収容ユニット内搬送構成部２７が設けられている。収容ユニット内搬送構成部２７で搬送される紙葉類Ｓも、その短辺部の延在方向に沿って移動する。
【００２４】
収容ユニット内搬送構成部２７は、収容ユニット３の右側面の上部に開口し、収容ユニット３の左側面に向け水平且つ直線状に延出して、左側面の上部に開口する連結搬送構成部２７Ａ（媒体搬送路）と、連結搬送構成部２７Ａの左側部分から下側に分岐する分岐搬送構成部２７Ｂとを有している。連結搬送構成部２７Ａと分岐搬送構成部２７Ｂとは、それぞれ個別の駆動モータを有しており、独立して駆動可能となっている。１台の計数ユニット２に対し収容ユニット３が複数台連設される場合は、これらを左右方向に並べて連結し、複数台の収容ユニット３の隣り合うもの同士が連結搬送構成部２７Ａを接続させて連結される。
【００２５】
分岐搬送構成部２７Ｂは、連結搬送構成部２７Ａの左側から分岐して鉛直下方に延出する下方延出部２７Ｂａと、１つが下方延出部２７Ｂａの下端位置から収容ユニット３の右側面に向けて延出し、また複数が下方延出部２７Ｂａの中間位置から分岐して収容ユニット３の右側面に向けて延出する、複数具体的には４つの側方延出部２７Ｂｂとを有している。４つの側方延出部２７Ｂｂには、それぞれ、紙葉類Ｓを集積させて収容する収容部１４が接続されている。よって、１台の収容ユニット３には、複数、具体的には４個の収容部１４が設けられている。１台の収容ユニット３に４個の収容部１４が設けられているのは一例であり、例えば１台の収容ユニット３に３個の収容部１４が設けられていても良い。
【００２６】
図１，図３に示すように、収容部１４は、いずれも、収容ユニット３の前面、即ち紙葉類処理装置１の前面に設けられた開口部１５を有しており、それぞれの開口部１５において、収容ユニット３外、即ち紙葉類処理装置１外に常時開口している。収容ユニット３の前面、即ち紙葉類処理装置１の前面には、収容部１４のそれぞれと高さを合わせて左横に、高さの合う収容部１４の紙葉類Ｓの集積枚数等の状態を表示する状態表示部２８が設けられている。
【００２７】
収容ユニット３に設けられた複数の収容部１４は、前後方向及び左右方向の位置を重ね合わせて上下方向（高さ方向）に所定の間隔をあけて並んで配置されている。複数の収容部１４は、計数ユニット２に設けられた受入部１１及びリジェクト部１３とも、前後方向の位置を重ね合わせている。
【００２８】
図２に示すように、互いに接続された計数ユニット内搬送構成部２１と収容ユニット内搬送構成部２７とが、受入部１１から繰り出された紙葉類Ｓを搬送する搬送部３０を構成している。搬送部３０は、その搬送中に紙葉類Ｓが識別部２２で識別されると、識別部２２よりも下流側の部分が識別部２２の識別結果に基づいて紙葉類Ｓを、リジェクト部１３及び複数の収容部１４のうちの一つに択一的に振り分ける。
【００２９】
紙葉類処理装置１において、リジェクト部１３及び複数の収容部１４は、識別部２２の識別結果に基づいて紙葉類Ｓを分類して紙葉類処理装置１外に取り出し可能に収容する。複数の収容部１４は、紙葉類処理装置１の前面に設けられた開口部１５から紙葉類処理装置１の前方に紙葉類Ｓが引き抜かれる。
【００３０】
図２に示すように、リジェクト部１３は、受入部１１で紙葉類処理装置１内に取り込まれた紙葉類Ｓのうち、識別部２２で計数対象紙葉類以外のリジェクト紙葉類と識別された紙葉類Ｓを集積させて紙葉類処理装置１外に取り出し可能に収容するものである。リジェクト部１３は、計数ユニット内搬送構成部２１から紙葉類Ｓが繰り出されることになり、このように繰り出された紙葉類Ｓを繰り出し順（言い換えれば受入部１１の取り込み順）に下から上に集積させる。紙葉類Ｓは、計数ユニット内搬送構成部２１の分岐延出部２１ｅからリジェクト部１３に繰り出されると、リジェクト部１３内で、長辺部を前後に沿わせ、短辺部を左右に沿わせて下から上に集積される。
【００３１】
複数の収容部１４は、受入部１１で紙葉類処理装置１内に取り込まれた紙葉類Ｓのうち、識別部２２で計数対象紙葉類と識別されて種類別に計数された紙葉類Ｓを種類別に集積させて紙葉類処理装置１外に取り出し可能に収容するものである。複数の収容部１４は、いずれも、収容ユニット内搬送構成部２７から紙葉類Ｓが繰り出されることになり、このように繰り出された紙葉類Ｓを繰り出し順（言い換えれば受入部１１の取り込み順）に右下から左上の方向に集積させる。
【００３２】
図１，図３に示すように、紙葉類処理装置１の計数ユニット２の前面には、操作入力を受け付けると共に情報表示を行う操作表示部３１が設けられている。また、図２に示すように、計数ユニット２の内部には、計数ユニット２及び計数ユニット２に連結された収容ユニット３の各部を制御する制御部３２と、識別の基準となるマスタデータや識別計数結果のデータ等を記憶する記憶部３３とが設けられている。制御部３２は、紙葉類処理装置１の全体を司る。
【００３３】
計数ユニット２に設けられた受入部１１は、上述したように紙葉類処理装置１の右側面側に右側方及び前方に常時開口するように設けられている。受入部１１は、水平に対して若干左下がりに傾斜して配置される底部４０と、底部４０の左端位置から底部４０に対して垂直をなして上方に延出する壁部４１と、底部４０の後端縁部から鉛直上方に延出する壁部４３とを有している。底部４０及び壁部４１は前後方向に広がっており、壁部４３は鉛直方向及び左右方向に広がっている。底部４０と壁部４１と壁部４３とは互いに垂直に配置されている。受入部１１には、紙葉類Ｓが、壁部４１に一方の長辺部を、壁部４３に一方の短辺部を、それぞれ当接させるようにして、底部４０上に集積状態でセットされる。受入部１１は、底部４０の上方に設けられて壁部４１に沿って昇降するビルプレス４５を有しており、ビルプレス４５は、底部４０上に載置された紙葉類Ｓを底部４０に向けて押圧する。
【００３４】
受入部１１は、底部４０上にセットされた紙葉類Ｓのうちの最下の紙葉類Ｓを左方の計数ユニット内搬送構成部２１に向けて蹴り出す蹴出ローラ５１と、蹴出ローラ５１で蹴り出された紙葉類Ｓを紙葉類処理装置１の内部に取り込んで計数ユニット内搬送構成部２１に受け渡す取込ローラ５２と、取込ローラ５２で取り込む紙葉類Ｓを一枚ずつに分離する分離ローラ５３とを有している。蹴出ローラ５１、取込ローラ５２及び分離ローラ５３が、受入部１１にセットされた紙葉類Ｓを一枚ずつ分離して紙葉類処理装置１の内部に取り込む取込部５５を構成している。
【００３５】
上記した識別部２２の検出部２３は、計数ユニット内搬送構成部２１の左方延出部２１ａにおける受入部１１の近傍位置に配置されており、紙葉類Ｓの受入部１１からの繰り出しの有無及び紙葉類Ｓの搬送状態を検出する。検出部２３は、紙葉類Ｓの光透過率或いは物理的厚さから重送の有無を検出し、紙葉類Ｓの長辺部方向両側のそれぞれの検知タイミングのずれから斜行の有無を検出し、隣り合う紙葉類Ｓのそれぞれの検知タイミングの間隔からニアフィードの有無を検出する。検出部２３で、重送、斜行及びニアフィードのいずれも無いことが検出された紙葉類Ｓは、言い換えれば、検出部２３で正常搬送であることが検出された紙葉類Ｓになる。
【００３６】
識別部２２の識別本体部２４は、紙葉類Ｓの可視光照射時及び紫外線照射時の画像を検出すると共に、それぞれを基準データと比較して、一致すると判定できる基準データの種類を、紙葉類Ｓの種類と特定する。このように種類が特定された紙葉類Ｓは、識別異常なしの紙葉類Ｓとなる。一方、一致すると判定できる基準データがない場合、識別異常ありの紙葉類Ｓと特定する。
【００３７】
計数ユニット２に設けられたリジェクト部１３は、水平に対して若干左下がりに傾斜して配置される底部６０と、底部６０の左端位置から底部６０に略垂直をなして上方に延出する壁部６１と、底部６０の後端縁部から鉛直上方に延出する壁部６３とを有している。底部６０及び壁部６１は前後方向に広がっており、壁部６３は鉛直方向及び左右方向に広がっている。
【００３８】
壁部６１の上部には、計数ユニット内搬送構成部２１の分岐延出部２１ｅの端末位置の近傍に設けられて分岐延出部２１ｅで搬送されてきた紙葉類Ｓを繰り出して底部６０に集積させる羽根車６５が設けられている。羽根車６５は、分岐延出部２１ｅで搬送されてきた紙葉類Ｓを羽根と羽根との間に挟んで共に回転し、この紙葉類Ｓが壁部６１に当接して羽根と羽根との間から抜け出すと、この紙葉類Ｓを羽根で底部６０側、即ち下方に押す。
【００３９】
図示は略すが、リジェクト部１３には、リジェクト部１３内の紙葉類Ｓの有無を検知する紙葉類有無検知センサと、この紙葉類有無センサの検知結果に基づいて点灯状態が切り替えられる有無表示照明とが設けられている。有無表示照明は、リジェクト部１３内に紙葉類Ｓがあることが紙葉類有無検知センサで検知されている状態では点灯し、リジェクト部１３内に紙葉類Ｓがないことが紙葉類有無検知センサで検知されている状態では消灯する。また、有無表示照明は、例えばリジェクト部１３内に紙葉類Ｓがフル状態になると点滅する。
【００４０】
有無表示照明は、例えば、底部６０に、計数ユニット２即ち紙葉類処理装置１の前面位置及び右側面位置で外に向け発光するように設けられている。羽根車６５で繰り出された紙葉類Ｓを案内して底部６０に集積させる図１，図３に示すカバー６６に、有無表示照明を設けても良い。その場合、カバーを透明材料で形成し、カバーの全体を光らせるようにしても良い。
【００４１】
収容ユニット３に設けられた複数の収容部１４は、いずれも同様の構成であり、紙葉類処理装置１の前面に開口する上記した開口部１５と、水平に対し右下がりに傾斜する収容底部７０と、収容底部７０の後側で広がる収容奥壁部７３とを有している。収容底部７０は、その上方に向く上面が右下がりに傾斜して前後方向に広がっている。収容奥壁部７３は、その前方に向く前面が鉛直方向及び左右方向に広がっており、言い換えれば前後方向に対し直交するように広がっている。
【００４２】
収容ユニット３は、収容部１４のそれぞれの内側に配置される摺動ステージ部８１を有している。摺動ステージ部８１は、図３の上から１個目、３個目及び４個目の摺動ステージ部８１に示すように全体が収容部１４内に配置される後退端位置と、図３の上から２個目の摺動ステージ部８１に示すように、収容部１４の開口部１５から一部突出する前進端位置との間で、収容部１４に対し摺動可能に設けられている。摺動ステージ部８１は、後退端位置にある状態が紙葉類Ｓを受け入れる待機状態であり、前進端位置にある状態が収容している紙葉類Ｓを前方に押し出す押し出し状態となる。
【００４３】
収容ユニット３は、複数の収容部１４および複数の状態表示部２８を含むユニット本体９１に対し、複数の摺動ステージ部８１が摺動可能となっている。このユニット本体９１の前方に向く前面に、複数の収容部１４の開口部１５が配置されており、複数の状態表示部２８は、このユニット本体９１の前面の一部を構成する。収容ユニット３のユニット本体９１と計数ユニット２とが、紙葉類処理装置１の装置本体９５を構成している。ユニット本体９１の前面は、装置本体９５の前方に向く前面の一部を構成している。複数の摺動ステージ部８１は、装置本体９５に対しても摺動可能となっており、複数の収容部１４の開口部１５は、装置本体９５の前面に配置されている。複数の状態表示部２８は、装置本体９５の前面の一部を構成する。
【００４４】
摺動ステージ部８１は、収容底部７０の右端位置から水平に対し右上がりに延出する支持ステージ８２と、支持ステージ８２の後側で広がる押出ステージ８５とを有している。支持ステージ８２は収容底部７０側に向く支持面が右上がりに傾斜して前後方向に広がっている。押出ステージ８５は、その前方に向く前面が鉛直方向及び左右方向に広がっており、言い換えれば前後方向に対し直交するように広がっている。収容底部７０の上面及び支持ステージ８２の支持面に対し、収容底部７０の上面及び押出ステージ８５の前面は垂直に広がっている。
【００４５】
図２に示すように、分岐搬送構成部２７Ｂの各側方延出部２７Ｂｂの末端位置には、対応する収容部１４内に紙葉類Ｓを繰り出す羽根車７５が設けられている。羽根車７５は、収容部１４における収容底部７０の支持ステージ８２とは反対側、即ち左側に設けられている。羽根車７５には、多数の羽根が周方向に所定の間隔で周方向同側に延出するように設けられている。羽根車７５は、支持ステージ８２と対向する側が上から下に移動するように回転することになり、支持ステージ８２と対向する側の羽根は、支持ステージ８２と対向する際に固定端が下側に自由端が上側に位置するように延びている。
【００４６】
羽根車７５は、分岐搬送構成部２７Ｂの下方延出部２７Ｂａ及び４つの側方延出部２７Ｂｂのうちの対応するもので左側から右側に搬送されてきた紙葉類Ｓを羽根と羽根の間に挟んで紙葉類Ｓと共に回転し、この紙葉類Ｓが収容底部７０の上面に当接して羽根と羽根との間から抜け出すと、この紙葉類Ｓを羽根で支持ステージ８２側に押す。このとき、紙葉類Ｓは、短辺部を上下に沿わせて収容底部７０の上面に下端の長辺部で当接して支持されると共に、この上面にガイドされて支持ステージ８２の支持面側に移動し、支持ステージ８２の支持面に厚さ方向一側の面が重なって支持されることになる。次に繰り出される紙葉類Ｓは、同様にして、短辺部を上下に沿わせて収容底部７０の上面に下端の長辺部で当接して支持されると共に、この上面にガイドされて支持ステージ８２の支持面側に移動し、既に支持ステージ８２に支持されている紙葉類Ｓの厚さ方向他側の面に、厚さ方向一側の面が重なって支持される。このようにして、紙葉類Ｓが厚さ方向に順に集積されて、支持ステージ８２の支持面に載置される。複数の収容部１４のそれぞれにも、リジェクト部１３と同様の紙葉類有無センサ及び有無表示照明が設けられている。収容部１４の有無表示照明は、例えば、収容底部７０に、収容ユニット３即ち紙葉類処理装置１の前面位置で外に向け発光するように設けられている。
【００４７】
摺動ステージ部８１は、待機状態で収容部１４に繰り出された紙幣を支持ステージ８２で支持することになるが、収容部１４に繰り出されて支持ステージ８２が支持する紙葉類Ｓの集積枚数が増えていくと、支持ステージ８２が紙葉類Ｓの集積枚数に応じた角度で揺動する。
【００４８】
また、収容部１４に繰り出された紙葉類Ｓを使用者に受け取らせる場合、図３の上から２個目の収容部１４に示すように、摺動ステージ部８１が、待機状態から前進して収容している紙葉類Ｓを支持ステージ８２及び押出ステージ８５で収容部１４の開口部１５よりも前方に一部突出させる。
【００４９】
図４，図５は、図３に示す収容ユニット３からカバー類を除いた収容ユニット本体部１００を示すものである。図４に示すように、収容ユニット本体部１００には、計数ユニット２に連結される際に、計数ユニット２に形成された図示略の結合穴に嵌合されるユニット結合用ピン１０１が右側面の上部に前後に離間して２つ設けられている。これらのユニット結合用ピン１０１を計数ユニット２の図示略の結合穴に嵌合させることで、収容ユニット３は、計数ユニット２に対し上下方向及び前後方向の位置を一致させるように位置決めされる。このように位置決めされた状態で、収容ユニット３が計数ユニット２に連結固定されて一体化される。
【００５０】
図５に示すように、収容ユニット本体部１００には、左側面の上部に、結合穴１０２が前後に離間して２箇所設けられている。これらの結合穴１０２には、これらが設けられた一の収容ユニット３の計数ユニット２とは反対側に他の収容ユニット３が連設される場合に、この他の収容ユニット３の右側面のユニット結合用ピン１０１が嵌合される。一の収容ユニット３のこれらの結合穴１０２に他の収容ユニット３のユニット結合用ピン１０１を嵌合させることで、一の収容ユニット３に対し、他の収容ユニット３が上下方向及び前後方向の位置を一致させるように位置決めされる。このように位置決めされた状態で、一の収容ユニット３に対し、他の収容ユニット３が連結固定されて一体化される。
【００５１】
図４に示すように、収容ユニット本体部１００には、上部の右側に、図２に示す計数ユニット２に連結される際に、計数ユニット２の計数ユニット内搬送構成部２１の左方延出部２１ｃの出口部分を構成する図示略の搬送出口部に連結されて紙葉類Ｓの受け渡しが可能になる搬送入口部１１１が設けられている。搬送入口部１１１は、連結搬送構成部２７Ａの入口部分を構成している。
【００５２】
図５に示すように、収容ユニット本体部１００には、上部の左側に、図２に示す連結搬送構成部２７Ａの出口部分を構成する搬送出口部１１２が設けられている。この搬送出口部１１２は、これが設けられた一の収容ユニット３の計数ユニット２とは反対側に他の収容ユニット３が連設される場合に、この他の収容ユニット３の上部右側の搬送入口部１１１に連結されて紙葉類Ｓの受け渡しが可能になる。
【００５３】
１台の計数ユニット２に１台の収容ユニット３を組み合わせた基本構成の紙葉類処理装置１に対し、基本構成に対して１台の収容ユニット３を増設した構成の紙葉類処理装置１としたり、基本構成に対して２台の収容ユニット３を増設した構成の紙葉類処理装置１としたり、図６に示すように、基本構成に対して３台の収容ユニット３を増設した構成の紙葉類処理装置１としたり等、１台の計数ユニット２に、予め設定された最大限度数までの収容ユニット３が連設可能となっている。即ち、収容ユニット３は、計数ユニット２に直列に接続される連結搬送構成部２７Ａを有して増設可能に設けられ、計数ユニット２から搬送されてきた紙葉類Ｓを処理する。紙葉類処理装置１には、このような収容ユニット３が１つまたは複数が設けられている。紙葉類処理装置１がこのような形態を採る理由は、ユーザが投入された紙葉類Ｓの仕分け・集積を行うために紙葉類処理装置１を使用する際、取り扱う紙葉類Ｓの種類などによって、ユーザが求める収容部１４の数量が異なるという事情に柔軟に対応するためであり、紙葉類処理装置１のバリエーションを設計変更を伴わずに容易に増やせるという利点がある。
【００５４】
図７は、紙葉類処理装置１の一例の電気系統を示すものである。図７に示すように、計数ユニット２は、外部の商用交流電源に接続されて、この商用交流電源から電源供給可能となる第１電源接続部１２０と、外部の商用交流電源に接続されて、この商用交流電源から電源供給可能となる第２電源接続部１２１と、収容ユニット３が連結されると、この収容ユニット３に電源供給可能に接続される電源出力部１２３と、第１電源接続部１２０と電源出力部１２３とを電源供給可能に接続する電源供給ライン１２４と、第２電源接続部１２１と電源出力部１２３とを電源供給可能に接続する電源供給ライン１２５とを有している。
【００５５】
第１電源接続部１２０は、一般家庭用としても利用されている商用２相電源（例えば、日本では、交流１００Ｖ）ラインのライブ側（ＡＣＬ）とデッド側（ＡＣＤ）の２つのラインから構成されており、第２電源接続部１２１も同様である。電源出力部１２３は、計数ユニット２から、下位の収容ユニット３に向けて電力供給を行う部分である。電源出力部１２３は、交流電流を送るそれぞれ独立した２つの電気系統である、出力系統１２８及び出力系統１２９を有している。
【００５６】
また、計数ユニット２は、電源供給ライン１２４に設けられて電源供給ライン１２４をオン及びオフするリレーである第１スイッチ１３５と、電源供給ライン１２５に設けられて電源供給ライン１２５をオン及びオフするリレーである第２スイッチ１３６と、第１スイッチ１３５による電源供給ライン１２４のオン及びオフ及び第２スイッチ１３６による電源供給ライン１２５のオン及びオフを切り替える上記した制御部３２と、収容ユニット３が連結されると、この収容ユニット３に通信可能に接続されるＩ／Ｆ出力部１３８とを有している。Ｉ／Ｆ出力部１３８は、制御部３２の制御信号を出力する。
【００５７】
第１スイッチ１３５がオン状態になると、電源供給ライン１２４がオン状態になる。オン状態の電源供給ライン１２４は、第１電源接続部１２０から電源出力部１２３の出力系統１２８に電源供給可能な導通状態となる。第１スイッチ１３５がオフ状態になると、電源供給ライン１２４がオフ状態になる。オフ状態の電源供給ライン１２４は、第１電源接続部１２０から電源出力部１２３の出力系統１２８に電源供給不可な遮断状態となる。
【００５８】
第２スイッチ１３６がオン状態になると、電源供給ライン１２５がオン状態になる。オン状態の電源供給ライン１２５は、第２電源接続部１２１から電源出力部１２３の出力系統１２９に電源供給可能な導通状態となる。第２スイッチ１３６がオフ状態になると、電源供給ライン１２５がオフ状態になる。オフ状態の電源供給ライン１２５は、第２電源接続部１２１から電源出力部１２３の出力系統１２９に電源供給不可な遮断状態となる。
【００５９】
以上により、計数ユニット２は、収容ユニット３に向けて電源を供給する２系統の電源供給ライン１２４及び電源供給ライン１２５と、収容ユニット３に向けて制御信号を出力するＩ／Ｆ出力部１３８とを有している。
【００６０】
収容ユニット３は、計数ユニット２に連結されると、計数ユニット２の電源出力部１２３に接続されて、電源出力部１２３から電源供給可能となる電源入力部１４１と、計数ユニット２とは反対側に他の収容ユニット３が連結されると、この他の収容ユニット３に電源供給可能に接続される電源出力部１４２と、電源入力部１４１と電源出力部１４２とを電源供給可能に接続する電源供給ライン１４３と、電源入力部１４１と電源出力部１４２とを電源供給可能に接続する電源供給ライン１４４とを有している。電源供給ライン１４３及び電源供給ライン１４４は、収容ユニット３の内部に設けられている。
【００６１】
電源入力部１４１は、交流電流を受けるそれぞれ独立した２つの電気系統である、入力系統１５１及び入力系統１５２を有している。入力系統１５１は電源供給ライン１４３に接続されており、入力系統１５２は電源供給ライン１４４に接続されている。
【００６２】
電源出力部１４２は、収容ユニット３から、その計数ユニット２とは反対側の収容ユニット３に向けて電力供給を行う部分である。電源出力部１４２は、交流電流を送るそれぞれ独立した２つの電気系統である、出力系統１５５及び出力系統１５６を有している。電源出力部１４２には、直前で電源供給ライン１４３及び電源供給ライン１４４が物理的な位置を入れ変えて接続されている。出力系統１５６が電源供給ライン１４４に接続され、出力系統１５５が電源供給ライン１４３に接続されている。
【００６３】
収容ユニット３は、計数ユニット２に連結されると、計数ユニット２のＩ／Ｆ出力部１３８に通信可能に接続されるＩ／Ｆ入力部１６１と、Ｉ／Ｆ入力部１６１に接続される通信ライン１６２と、通信ライン１６２のＩ／Ｆ入力部１６１とは反対側に接続され、計数ユニット２とは反対側に他の収容ユニット３が連結されると、この他の収容ユニット３に通信可能に接続されるＩ／Ｆ出力部１６３とを有している。Ｉ／Ｆ出力部１３８に対しＩ／Ｆ入力部１６１は、制御上の上位機である計数ユニット２側から下位側へ向かっての制御線という意味で「出力」の文言を使用しているが、下位側から上位側への応答も実際にはあり得るため、電気信号的には入出力ポートである。
【００６４】
また、収容ユニット３は、電源供給ライン１４３に設けられて電源供給ライン１４３をオン及びオフするリレーであるスイッチ１７１（スイッチ手段）と、電源供給ライン１４３の電源入力部１４１とスイッチ１７１との間に接続されて電源供給ライン１４３から電源供給可能となる交流直流変換部１７２と、交流直流変換部１７２から電源供給を受けてスイッチ１７１による電源供給ライン１４３のオン及びオフの切り替えを制御する電源制御部１７３とを有している。よって、電源供給ライン１４３には、交流直流変換部１７２が接続されると共にスイッチ１７１が配置されている。
【００６５】
電源制御部１７３は、通信ライン１６２に接続されて、上位の計数ユニット２の制御部３２からの制御信号を受け、この制御信号に基づいてスイッチ１７１による電源供給ライン１４３のオン及びオフを制御する。電源供給ライン１４４には、これをオン及びオフするスイッチは設けられていない。言い換えれば、一つの収容ユニット３の電源供給ライン１４３及び電源供給ライン１４４のうちの１系統の電源供給ライン１４３のみにスイッチ１７１が設けられている。交流直流変換部１７２は、スイッチングレギュレータなどで構成されている。
【００６６】
ここで、計数ユニット２の電源出力部１２３は、これに隣り合う収容ユニット３の電源入力部１４１に電源供給可能に接続されると、計数ユニット２の電源供給ライン１２４及び出力系統１２８を、これに隣り合う収容ユニット３の電源入力部１４１の入力系統１５１及び電源供給ライン１４３に電源供給可能に接続することになる。また、計数ユニット２の電源供給ライン１２５及び出力系統１２９を、隣り合う収容ユニット３の電源入力部１４１の入力系統１５２及び電源供給ライン１４４に電源供給可能に接続することになる。
【００６７】
他方、計数ユニット２の電源出力部１２３は、これに隣り合う収容ユニット３の電源入力部１４１に電源供給可能に接続されても、計数ユニット２の電源供給ライン１２４から、これに隣り合う収容ユニット３の電源供給ライン１４４への電源供給は不可であり、計数ユニット２の電源供給ライン１２５から、これに隣り合う収容ユニット３の電源供給ライン１４３への電源供給も不可である。
【００６８】
一の収容ユニット３の電源出力部１４２は、その計数ユニット２とは反対側に隣り合う他の収容ユニット３の電源入力部１４１に電源供給可能に接続されると、この一の収容ユニット３の電源供給ライン１４３及び電源出力部１４２の出力系統１５５を、その計数ユニット２とは反対側に隣り合う他の収容ユニット３の電源入力部１４１の入力系統１５２及び電源供給ライン１４４に電源供給可能に接続することになる。また、この一の収容ユニット３の電源供給ライン１４４及び電源出力部１４２の出力系統１５６を、その計数ユニット２とは反対側に隣り合う他の収容ユニット３の電源入力部１４１の入力系統１５１及び電源供給ライン１４３に電源供給可能に接続することになる。
【００６９】
他方、一の収容ユニット３の電源出力部１４２は、その計数ユニット２とは反対側に隣り合う他の収容ユニット３の電源入力部１４１に電源供給可能に接続されても、この一の収容ユニット３の電源供給ライン１４３から、その計数ユニット２とは反対側に隣り合う他の収容ユニット３の電源供給ライン１４３への電源供給は不可であり、この一の収容ユニット３の電源供給ライン１４４から、その計数ユニット２とは反対側に隣り合う他の収容ユニット３の電源供給ライン１４４への電源供給も不可である。
【００７０】
よって、収容ユニット３が、計数ユニット２に複数接続される場合、一の収容ユニット３のスイッチ１７１を有する１系統の内部の電源供給ライン１４３が、紙幣搬送方向下流側に隣り合う他の収容ユニット３のスイッチのない１系統の内部の電源供給ライン１４４とで同じ１系統の電源供給ラインを構成し、一の収容ユニット３のスイッチのない１系統の内部の電源供給ライン１４４が、紙幣搬送方向下流側に隣り合う他の収容ユニット３のスイッチ１７１を有する１系統の内部の電源供給ライン１４３とで同じ１系統の電源供給ラインを構成する。
【００７１】
計数ユニット２の制御部３２が、制御信号を一の収容ユニット３の電源制御部１７３に出力すると、この電源制御部１７３は、この一の収容ユニット３のスイッチ１７１のオン及びオフを制御する。一の収容ユニット３において、スイッチ１７１がオン状態になると、電源供給ライン１４３がオン状態になる。オン状態の電源供給ライン１４３は、電源入力部１４１の入力系統１５１から電源出力部１４２の出力系統１５５に電源供給可能な導通状態となる。スイッチ１７１がオフ状態になると、電源供給ライン１４３がオフ状態になる。オフ状態の電源供給ライン１４３は、電源入力部１４１の入力系統１５１から電源出力部１４２の出力系統１５５に電源供給不可な遮断状態となる。
【００７２】
例えば、具体例を、図７に示すように、１台の計数ユニット２に４台の収容ユニット３が連設されて構成される紙葉類処理装置１を例にとり説明する。ここでは、４台の収容ユニット３及びそれぞれの構成を、ユニット配列方向、即ち紙幣搬送方向において計数ユニット２に近い側から順に、符号に（Ａ），（Ｂ），（Ｃ），（Ｄ）を付けて区別する。
【００７３】
計数ユニット２の電源供給ライン１２４及び電源出力部１２３の出力系統１２８と、収容ユニット３（Ａ）の電源入力部１４１（Ａ）の入力系統１５１（Ａ）、電源供給ライン１４３（Ａ）及び電源出力部１４２（Ａ）の出力系統１５５（Ａ）と、収容ユニット３（Ｂ）の電源入力部１４１（Ｂ）の入力系統１５２（Ｂ）、電源供給ライン１４４（Ｂ）及び電源出力部１４２（Ｂ）の出力系統１５６（Ｂ）と、収容ユニット３（Ｃ）の電源入力部１４１（Ｃ）の入力系統１５１（Ｃ）、電源供給ライン１４３（Ｃ）及び電源出力部１４２（Ｃ）の出力系統１５５（Ｃ）と、収容ユニット３（Ｄ）の電源入力部１４１（Ｄ）の入力系統１５２（Ｄ）、電源供給ライン１４４（Ｄ）及び電源出力部１４２（Ｄ）の出力系統１５６（Ｄ）と、が電源供給可能に接続されて１系統の第１電源供給ライン１８１を構成している。
【００７４】
また、計数ユニット２の電源供給ライン１２５及び電源出力部１２３の出力系統１２９と、収容ユニット３（Ａ）の電源入力部１４１（Ａ）の入力系統１５２（Ａ）、電源供給ライン１４４（Ａ）及び電源出力部１４２（Ａ）の出力系統１５６（Ａ）と、収容ユニット３（Ｂ）の電源入力部１４１（Ｂ）の入力系統１５１（Ｂ）、電源供給ライン１４３（Ｂ）及び電源出力部１４２（Ｂ）の出力系統１５５（Ｂ）と、収容ユニット３（Ｃ）の電源入力部１４１（Ｃ）の入力系統１５２（Ｃ）、電源供給ライン１４４（Ｃ）及び電源出力部１４２（Ｃ）の出力系統１５６（Ｃ）と、収容ユニット３（Ｄ）の電源入力部１４１（Ｄ）の入力系統１５１（Ｄ）、電源供給ライン１４３（Ｄ）及び電源出力部１４２（Ｄ）の出力系統１５５（Ｄ）と、が電源供給可能に接続されて１系統の第２電源供給ライン１８２を構成している。
【００７５】
第１電源供給ライン１８１には、全ての収容ユニット３（Ａ）〜３（Ｄ）のうち、計数ユニット２側から数えて奇数番目となる収容ユニット３（Ａ），３（Ｃ）の交流直流変換部１７２（Ａ），１７２（Ｃ）が接続されると共に、収容ユニット３（Ａ），３（Ｃ）のスイッチ１７１（Ａ），１７１（Ｃ）が配置されている。第２電源供給ライン１８２には、全ての収容ユニット３（Ａ）〜３（Ｄ）のうち、計数ユニット２側から数えて偶数番目となる収容ユニット３（Ｂ），３（Ｄ）の交流直流変換部１７２（Ｂ），１７２（Ｄ）が接続されると共に、収容ユニット３（Ｂ），３（Ｄ）のスイッチ１７１（Ｂ），１７１（Ｄ）が配置されている。
【００７６】
計数ユニット２に複数台の収容ユニット３を連結した場合の電源投入の動作シーケンスについて、上記のように１台の計数ユニット２に４台の収容ユニット３（Ａ）〜３（Ｄ）が連設されて構成される紙葉類処理装置１を例にとり説明する。ここでは、動作シーケンスとして、第１動作シーケンス及び第２動作シーケンスの２通りの動作シーケンスについて説明する。
【００７７】
「第１動作シーケンス」
第１動作シーケンスは、第１電源供給ライン１８１に交流直流変換部１７２を接続させている収容ユニット３（Ａ），３（Ｃ）、即ち計数ユニット２側から数えて奇数番目となる収容ユニット３（Ａ），３（Ｃ）に先に電源を供給した後、第２電源供給ライン１８２に交流直流変換部１７２を接続させている収容ユニット３（Ｂ），３（Ｄ）、即ち計数ユニット２側から数えて偶数番目となる収容ユニット３（Ｂ），３（Ｄ）に電源を供給する。この第１動作シーケンスは、突入電流を抑制する動作シーケンスとなっている。
【００７８】
先ず、図８に太破線で示すように、計数ユニット２の制御部３２が、第１電源供給ライン１８１を構成する電源供給ライン１２４上にある第１スイッチ１３５をオンする。すると、電源供給ライン１２４がオン状態となって、図８に太実線で示すように、電源出力部１２３の出力系統１２８に電源が出力されることになり、収容ユニット３（Ａ）の電源入力部１４１（Ａ）の入力系統１５１（Ａ）に電源が供給されることになる。その結果、電源供給ライン１４３（Ａ）に接続されている交流直流変換部１７２（Ａ）が交流電流を直流電流に変換して電源制御部１７３（Ａ）に出し、電源制御部１７３（Ａ）を起動する。すると、収容ユニット３（Ａ）に電源が入り、収容ユニット３（Ａ）の駆動部品やセンサなどが駆動可能な状態となる。
【００７９】
次に、図９に太破線で示すように、計数ユニット２の制御部３２が、Ｉ／Ｆ出力部１３８、収容ユニット３（Ａ）のＩ／Ｆ入力部１６１（Ａ）及び通信ライン１６２（Ａ）を介して収容ユニット３（Ａ）の電源制御部１７３（Ａ）に向けて、スイッチ１７１（Ａ）で電源供給ライン１４３（Ａ）をオンするように制御信号を送信する。電源制御部１７３（Ａ）は、このように収容ユニット３（Ａ）のＩ／Ｆ入力部１６１（Ａ）から入ってくる、上位側の計数ユニット２の制御部３２からの制御信号に従い、図１０に太破線で示すようにスイッチ１７１（Ａ）で電源供給ライン１４３（Ａ）をオンし、図１０に太実線で示すように、収容ユニット３（Ａ）の電源出力部１４２（Ａ）の出力系統１５５（Ａ）に電源を供給させる。
【００８０】
すると、収容ユニット３（Ｂ）の電源入力部１４１（Ｂ）の入力系統１５２（Ｂ）と、電源供給ライン１４４（Ｂ）と、電源出力部１４２（Ｂ）の出力系統１５６（Ｂ）とを介して、収容ユニット３（Ｃ）の電源入力部１４１（Ｃ）の入力系統１５１（Ｃ）に電源が供給されることになる。その結果、電源供給ライン１４３（Ｃ）に接続されている交流直流変換部１７２（Ｃ）が交流電流を直流電流に変換して電源制御部１７３（Ｃ）に出力し、電源制御部１７３（Ｃ）を起動する。すると、収容ユニット３（Ｃ）に電源が入り、収容ユニット３（Ｃ）の駆動部品やセンサなどが駆動可能な状態となる。このようにして、交流直流変換部１７２を第１電源供給ライン１８１に接続させている収容ユニット３（Ａ），３（Ｃ）に電源を供給する。
【００８１】
なお、計数ユニット２に５台以上の収容ユニット３が接続される場合は、第１電源供給ライン１８１に交流直流変換部１７２が接続されている、計数ユニット２側から収容ユニット３（Ｃ）よりも遠い奇数番目の収容ユニット３についても、上記と同様の制御を、計数ユニット２に近い側から繰り返し行うことで、順に電源投入することになる。
【００８２】
計数ユニット２の制御部３２は、計数ユニット２に接続されている収容ユニット３の数を予め把握しているため、第１電源供給ライン１８１に交流直流変換部１７２が接続されている、計数ユニット２から奇数番目の収容ユニット３の全ての電源投入が終了したと判断した場合には、次のステップとして、第２電源供給ライン１８２に交流直流変換部１７２が接続されている、計数ユニット２から偶数番目の収容ユニット３について順に電源投入を行う。
【００８３】
ここで、計数ユニット２の制御部３２は、計数ユニット２に接続されている収容ユニット３の数を管理していない場合でも、計数ユニット２から奇数番目の収容ユニット３のうち、計数ユニット２から最も遠い収容ユニット３が電源投入を終えたことを判断可能である。制御部３２は、例えば、１台の計数ユニット２に４台の収容ユニット３（Ａ）〜３（Ｄ）が連設されている場合、収容ユニット３（Ｃ）に向け制御信号を出し、収容ユニット３（Ｃ）からのレスポンスを受けると、計数ユニット２から次に遠い奇数番目の収容ユニット３へ向け制御信号を出す。この時、所定時間が経過しても当該収容ユニット３からのレスポンスが返ってこなければ、収容ユニット３（Ｃ）が計数ユニット２から奇数番目となる最後の収容ユニット３であると判断する。
【００８４】
上記のようにして、第１電源供給ライン１８１に交流直流変換部１７２を接続させている収容ユニット３（Ａ），３（Ｃ）に電源を供給した後、計数ユニット２の制御部３２は、図１１に太破線で示すように、第２電源供給ライン１８２を構成する電源供給ライン１２５上にある第２スイッチ１３６をオンして、電源供給ライン１２５をオン状態とする。すると、図１１に太実線で示すように、電源出力部１２３の出力系統１２９に電源が出力され、収容ユニット３（Ａ）の電源入力部１４１（Ａ）の入力系統１５２（Ａ）、電源供給ライン１４４（Ａ）及び電源出力部１４２（Ａ）の出力系統１５６（Ａ）を介して、収容ユニット３（Ｂ）の電源入力部１４１（Ｂ）の入力系統１５１（Ｂ）に電源が供給される。その結果、収容ユニット３（Ｂ）内の電源供給ライン１４３（Ｂ）に接続されている交流直流変換部１７２（Ｂ）が交流電流を直流電流に変換して電源制御部１７３（Ｂ）に出力し、電源制御部１７３（Ｂ）を起動する。すると、収容ユニット３（Ｂ）に電源が入り、収容ユニット３（Ｂ）の駆動部品やセンサなどが駆動可能な状態となる。
【００８５】
次に、図１２に太破線で示すように、計数ユニット２の制御部３２が、Ｉ／Ｆ出力部１３８、収容ユニット３（Ａ）のＩ／Ｆ入力部１６１（Ａ）、通信ライン１６２（Ａ）、Ｉ／Ｆ出力部１６３（Ａ）、収容ユニット３（Ｂ）のＩ／Ｆ入力部１６１（Ｂ）及び通信ライン１６２（Ｂ）を介して、収容ユニット３（Ｂ）の電源制御部１７３（Ｂ）に向けて、スイッチ１７１（Ｂ）で電源供給ライン１４３（Ｂ）をオンするように制御信号を送信する。電源制御部１７３（Ｂ）は、このように収容ユニット３（Ｂ）のＩ／Ｆ入力部１６１（Ｂ）から入ってくる、上位側の計数ユニット２の制御部３２からの制御信号に従い、図１２に太破線で示すようにスイッチ１７１（Ｂ）で電源供給ライン１４３（Ｂ）をオンし、図１２に太実線で示すように、収容ユニット３（Ｂ）の電源出力部１４２（Ｂ）の出力系統１５５（Ｂ）に電源を供給させる。
【００８６】
すると、収容ユニット３（Ｃ）の電源入力部１４１（Ｃ）の入力系統１５２（Ｃ）と、電源供給ライン１４４（Ｃ）と、電源出力部１４２（Ｃ）の出力系統１５６（Ｃ）とを介して、収容ユニット３（Ｄ）の電源入力部１４１（Ｄ）の入力系統１５１（Ｄ）に電源が供給される。その結果、収容ユニット３（Ｄ）内の電源供給ライン１４３（Ｄ）に接続されている交流直流変換部１７２（Ｄ）が交流電流を直流電流に変換して電源制御部１７３（Ｄ）に出力し、電源制御部１７３（Ｄ）を起動する。すると、収容ユニット３（Ｄ）に電源が入り、収容ユニット３（Ｄ）の駆動部品やセンサなどが駆動可能な状態となる。このようにして、第２電源供給ライン１８２に交流直流変換部１７２を接続させている収容ユニット３（Ｂ），３（Ｄ）に電源を供給する。
【００８７】
なお、計数ユニット２に６台以上の収容ユニット３が接続される場合は、第２電源供給ライン１８２に交流直流変換部１７２が接続されている、計数ユニット２から収容ユニット３（Ｄ）よりも遠い偶数番目の収容ユニット３についても、上記と同様の制御を、計数ユニット２に近い側から繰り返し行うことで、順に電源を投入することになる。
【００８８】
以上により、第１電源供給ライン１８１に交流直流変換部１７２を接続させている、計数ユニット２側から数えて奇数番目となる全ての収容ユニット３（Ａ），３（Ｃ）の電源投入と、第２電源供給ライン１８２に交流直流変換部１７２を接続させている、計数ユニット２側から数えて偶数番目となる全ての収容ユニット３（Ｂ），３（Ｄ）の電源投入とが終了する。
【００８９】
計数ユニット２の制御部３２は、計数ユニット２に接続されている収容ユニット３の数を予め把握しているため、第２電源供給ライン１８２に交流直流変換部１７２が接続されている、計数ユニット２側から数えて偶数番目の収容ユニット３の全ての電源投入が終了したと判断した場合には、第１電源供給ライン１８１に交流直流変換部１７２が接続されている、計数ユニット２側から数えて奇数番目となる全ての収容ユニット３の電源投入と、第２電源供給ライン１８２に交流直流変換部１７２が接続されている、計数ユニット２側から数えて偶数番目となる全ての収容ユニット３の電源投入と、が終了したと判断する。すなわち、計数ユニット２を介して電源供給を受ける全ての収容ユニット３の電源投入が終了したと判断する。
【００９０】
ここで、計数ユニット２の制御部３２は、計数ユニット２に接続されている収容ユニット３の数を管理していない場合でも、計数ユニット２から偶数番目の収容ユニット３のうち、計数ユニット２から最も遠い収容ユニット３が電源投入を終えたことを判断可能である。制御部３２は、例えば、１台の計数ユニット２に４台の収容ユニット３（Ａ）〜３（Ｄ）が連設されている場合、収容ユニット３（Ｄ）に向け制御信号を出し、収容ユニット３（Ｄ）からのレスポンスを受けると、計数ユニット２から次に遠い偶数番目の収容ユニット３へ向け制御信号を出す。この時、所定時間が経過しても当該収容ユニット３からのレスポンスが帰ってこなければ、収容ユニット３（Ｄ）が計数ユニット２から偶数番目となる最後の収容ユニット３であると判断する。
【００９１】
以上のように、第１動作シーケンスでは、計数ユニット２の制御部３２の通信制御により複数の収容ユニット３の電源の起動タイミングをずらすようになっている。即ち、第１動作シーケンスでは、第１電源供給ライン１８１の全てのスイッチ１７１をオンした後、第２電源供給ライン１８２のスイッチ１７１をオンする。これにより、電源投入時の突入電流を抑制することが可能となる。
【００９２】
収容ユニット３の電源制御部１７３は、計数ユニット２からの制御信号に基づいて、２系統の内部の電源供給ライン１４３及び電源供給ライン１４４のうちの１系統である電源供給ライン１４３をスイッチ１７１によりオン及びオフする。
【００９３】
「第２動作シーケンス」
第２動作シーケンスは、交流直流変換部１７２を第１電源供給ライン１８１に接続させている、計数ユニット２側から数えて最も小さい奇数番目（１番目）となる収容ユニット３（Ａ）への電源供給と並行して、交流直流変換部１７２を第２電源供給ライン１８２に接続させている、計数ユニット２側から数えて最も小さい偶数番目（２番目）となる収容ユニット３（Ｂ）への電源供給を行う。その後、交流直流変換部１７２を第１電源供給ライン１８１に接続させている、計数ユニット２側から数えて次に小さい奇数番目（３番目）となる収容ユニット３（Ｃ）への電源供給と並行して、交流直流変換部１７２を第２電源供給ライン１８２に接続させている、計数ユニット２側から数えて次に小さい偶数番目（４番目）となる収容ユニット３（Ｄ）への電源供給を行う。
【００９４】
先ず、図１３に太破線で示すように、計数ユニット２の制御部３２が、第１電源供給ライン１８１を構成する電源供給ライン１２４上にある第１スイッチ１３５をオンすると共に、これと並行して、第２電源供給ライン１８２を構成する電源供給ライン１２５上にある第２スイッチ１３６をオンすると、図１３に太実線で示すように、電源出力部１２３の出力系統１２８及び出力系統１２９に電源が出力される。
【００９５】
すると、一方で、収容ユニット３（Ａ）内の電源供給ライン１４３（Ａ）に接続されている交流直流変換部１７２（Ａ）が交流電流を直流電流に変換して電源制御部１７３（Ａ）に出力し、電源制御部１７３（Ａ）を起動する。このとき、収容ユニット３（Ａ）に電源が入り、収容ユニット３（Ａ）の駆動部品やセンサなどが駆動可能な状態となる。また、他方で、収容ユニット３（Ａ）の内の電源供給ライン１４４（Ａ）及び収容ユニット３（Ｂ）内の電源供給ライン１４３（Ｂ）に接続されている交流直流変換部１７２（Ｂ）が交流電流を直流電流に変換して電源制御部１７３（Ｂ）に出力し、電源制御部１７３（Ｂ）を起動する。このとき、収容ユニット３（Ｂ）に電源が入り、収容ユニット３（Ｂ）の駆動部品やセンサなどが駆動可能な状態となる。
【００９６】
次に、図１４に示すように、計数ユニット２の制御部３２が、Ｉ／Ｆ出力部１３８、収容ユニット３（Ａ）のＩ／Ｆ入力部１６１（Ａ）及び通信ライン１６２（Ａ）を介して収容ユニット３（Ａ）の電源制御部１７３（Ａ）に向けて、スイッチ１７１（Ａ）で電源供給ライン１４３（Ａ）をオンするように制御信号を送信すると共に、これと並行して、Ｉ／Ｆ出力部１３８、収容ユニット３（Ａ）のＩ／Ｆ入力部１６１（Ａ）、通信ライン１６２（Ａ）、Ｉ／Ｆ出力部１６３（Ａ）、収容ユニット３（Ｂ）のＩ／Ｆ入力部１６１（Ｂ）及び通信ライン１６２（Ｂ）を介して収容ユニット３（Ｂ）の電源制御部１７３（Ｂ）に向けて、スイッチ１７１（Ｂ）で、電源供給ライン１４３（Ｂ）をオンするように制御信号を送信する。
【００９７】
このような制御部３２からの制御信号を受けると、収容ユニット３（Ａ）の電源制御部１７３（Ａ）が、収容ユニット３（Ａ）のＩ／Ｆ入力部１６１（Ａ）から入ってくる、上位側の計数ユニット２の制御部３２からの制御信号に従い、図１５に太実線で示すように、スイッチ１７１（Ａ）で電源供給ライン１４３（Ａ）をオンし、収容ユニット３（Ａ）の電源出力部１４２（Ａ）の出力系統１５５（Ａ）に電源を供給させる。
【００９８】
すると、収容ユニット３（Ｂ）の電源入力部１４１（Ｂ）の入力系統１５２（Ｂ）と、電源供給ライン１４４（Ｂ）と、電源出力部１４２（Ｂ）の出力系統１５６（Ｂ）と、収容ユニット３（Ｃ）の電源入力部１４１（Ｃ）の入力系統１５１（Ｃ）とに電源が供給される。その結果、収容ユニット３（Ｃ）内の電源入力部１４１（Ｃ）の入力系統１５１（Ｃ）及び電源供給ライン１４３（Ｃ）に接続されている交流直流変換部１７２（Ｃ）が交流電流を直流電流に変換して電源制御部１７３（Ｃ）に出力し、電源制御部１７３（Ｃ）を起動する。このとき、収容ユニット３（Ｃ）に電源が入り、収容ユニット３（Ｃ）の駆動部品やセンサなどが駆動可能な状態となる。
【００９９】
制御部３２からの制御信号を受けると、収容ユニット３（Ｂ）の電源制御部１７３（Ｂ）が、収容ユニット３（Ｂ）のＩ／Ｆ入力部１６１（Ｂ）から入ってくる、上位側の計数ユニット２の制御部３２からの制御信号に従い、スイッチ１７１（Ｂ）で電源供給ライン１４３（Ｂ）をオンし、収容ユニット３（Ｂ）の電源出力部１４２（Ｂ）の出力系統１５５（Ｂ）に電源を供給させる。
【０１００】
すると、収容ユニット３（Ｃ）の電源入力部１４１（Ｃ）の入力系統１５２（Ｃ）と、電源供給ライン１４４（Ｃ）と、電源出力部１４２（Ｃ）の出力系統１５６（Ｃ）とを介して、収容ユニット３（Ｄ）の電源入力部１４１（Ｄ）の入力系統１５１（Ｄ）に電源が供給される。その結果、電源入力部１４１（Ｄ）の入力系統１５１（Ｄ）及び電源供給ライン１４３（Ｄ）に接続されている交流直流変換部１７２（Ｄ）が交流電流を直流電流に変換して電源制御部１７３（Ｄ）に出力し、電源制御部１７３（Ｄ）を起動する。このとき、収容ユニット３（Ｄ）に電源が入り、収容ユニット３（Ｄ）の駆動部品やセンサなどが駆動可能な状態となる。
【０１０１】
なお、計数ユニット２に５台以上の収容ユニット３が接続される場合は、第１電源供給ライン１８１に交流直流変換部１７２が接続されている、計数ユニット２側から数えて収容ユニット３（Ｃ）よりも遠い奇数番目の収容ユニット３と、第２電源供給ライン１８２に交流直流変換部１７２が接続されている、計数ユニット２から数えて収容ユニット３（Ｄ）よりも遠い偶数番目の収容ユニット３とについても、上記と同様の制御を、計数ユニット２に近い側から繰り返し行うことで、順に電源投入する。
【０１０２】
以上により、交流直流変換部１７２を第１電源供給ライン１８１に接続させている、計数ユニット２側から数えて奇数番目となる全ての収容ユニット３（Ａ），３（Ｃ）の電源投入と、交流直流変換部１７２を第２電源供給ライン１８２に接続させている、計数ユニット２側から数えて偶数番目となる全ての収容ユニット３（Ｂ），３（Ｄ）の電源投入とが終了する。
【０１０３】
よって、収容ユニット３の電源入力部１４１には、その電源供給方向上流側に隣り合う計数ユニット２の２系統の電源供給ライン１２４及び電源供給ライン１２５、又はその電源供給方向上流側に隣り合う他の収容ユニット３の２系統の電源供給ライン１４３及び電源供給ライン１４４から電源が入力される。収容ユニット３の内部の電源供給ライン１４３及び電源供給ライン１４４は、この電源入力部１４１に接続されている。電源出力部１４２は、２系統の内部の電源供給ライン１４３及び電源供給ライン１４４に接続されており、紙葉類搬送方向下流側に配置される収容ユニット３へ向けた２系統の電源供給ライン１４３及び電源供給ライン１４４で電源を出力可能となる。
【０１０４】
以上に述べた第１実施形態の紙葉類処理装置１によれば、収容ユニット３は、計数ユニット２から２系統の電源供給ライン１２４及び電源供給ライン１２５で電源が供給されることになり、これら２系統の電源供給ライン１２４及び電源供給ライン１２５で供給される電源が、計数ユニット２のＩ／Ｆ出力部１３８から出力された制御信号で制御されることになる。よって、電源供給ライン１２４及び電源供給ライン１２５の１系統当たりの最大定格電流を抑えることが可能となる。従って、コスト増を抑制することが可能となる。
【０１０５】
また、収容ユニット３は、その電源制御部１７３が計数ユニット２からの制御信号に基づいて、２系統の内部の電源供給ライン１４３及び電源供給ライン１４４のうちの１系統の電源供給ライン１４３をスイッチ１７１によりオン及びオフするため、計数ユニット２からの通信制御により電源の起動タイミングを図れる（ずらせる）構成となる。これにより、電源投入時の突入電流を抑制することが可能となる。
【０１０６】
また、一の収容ユニット３のスイッチ１７１を有する１系統の内部の電源供給ライン１４３が、紙幣搬送方向下流側に隣り合う他の収容ユニット３のスイッチのない１系統の内部の電源供給ライン１４４とで同じ１系統の第１電源供給ライン１８１を構成し、この一の収容ユニット３のスイッチのない１系統の内部の電源供給ライン１４４が、紙幣搬送方向下流側に隣り合う他の収容ユニット３のスイッチ１７１を有する１系統の内部の電源供給ライン１４３とで同じ１系統の第２電源供給ライン１８２を構成するため、簡素な構造で一の収容ユニット３と他の収容ユニット３とに別々のタイミングで電源供給することができる。したがって、コスト増を更に抑制することが可能となる。
【０１０７】
また、第１動作シーケンスでは、第１電源供給ライン１８１の全てのスイッチ１７１をオンした後、第２電源供給ライン１８２のスイッチ１７１をオンするため、第１電源供給ライン１８１及び第２電源供給ライン１８２の１系統当たりの最大定格電流を抑えることができる。したがって、コスト増を抑制することが可能となる。
【０１０８】
また、収容ユニット３を複数台増設する場合であっても、収容ユニット３の数に応じて計数ユニット２側の構成を変更する必要がない。従って、安価に紙葉類処理装置１を構築できる。また、収容ユニット３が共通化されており、容易にバリエーションを増やすことができる。
【０１０９】
また、収容ユニット３を増設する場合であっても、全く同一の収容ユニット３を単純に追加していく構成で、安全に安価に紙葉類処理装置１を構築できる。
【０１１０】
通常は、第１動作シーケンスで、２系統の第１電源供給ライン１８１及び第２電源供給ライン１８２を交互に電力供給することになるが、計数ユニット２側の電源に余裕があることが予め見込まれる場合には、第２動作シーケンスで、２系統の第１電源供給ライン１８１及び第２電源供給ライン１８２に対して同時に（すなわち、並列に）電源を供給することにより、すべての収容ユニット３への電力供給が完了するまでの時間を短縮することが可能になる。
【０１１１】
［第２実施形態］
本発明に係る媒体処理装置の第２実施形態である紙葉類処理装置を、主に図１６を参照して第１実施形態との相違部分を中心に以下に説明する。
【０１１２】
第１実施形態では、計数ユニット２が２系統の電源供給ライン１２４，１２５を有している。また、第１実施形態では、収容ユニット３が、２系統の電源供給ライン１２４，１２５から電源が入力される電源入力部１４１と、２系統の内部の電源供給ライン１４３，１４４と、２系統の電源供給ライン１４３，１４４で電源を出力可能な電源出力部１４２と、計数ユニット２からの制御信号に基づいて２系統の内部の電源供給ライン１４３，１４４のうちの１系統の内部の電源供給ライン１４３をスイッチ１７１によりオン及びオフする電源制御部１７３とを有している。更に、第１実施形態では、紙葉類処理装置１が、２系統の第１電源供給ライン１８１及び第２電源供給ライン１８２を有している。
【０１１３】
しかしながら、計数ユニット２は、少なくとも２系統の電源供給ラインを有していれば良い。また、収容ユニット３が、少なくとも２系統の電源供給ラインから電源が入力される電源入力部と、少なくとも２系統の内部の電源供給ラインと、少なくとも２系統の電源供給ラインで電源を出力可能な電源出力部と、計数ユニット２からの制御信号に基づいて少なくとも２系統の内部の電源供給ラインのうちの１系統の内部の電源供給ラインをスイッチによりオン及びオフする電源制御部を有していれば良い。更に、紙葉類処理装置１が、少なくとも２系統の電源供給ラインを有していれば良い。
【０１１４】
第２実施形態は、第１電源供給ライン１８１及び第２電源供給ライン１８２に加えて第３電源供給ライン１８３を有する紙葉類処理装置１である。よって、計数ユニット２が、第１電源接続部１２０及び第２電源接続部１２１に加えて第３電源接続部１２２を有しており、電源供給ライン１２４及び電源供給ライン１２５に加えて、第３電源接続部１２２に接続されると共に第３スイッチ１３７を有する電源供給ライン１２６を備えている。また、電源出力部１２３が、出力系統１２８及び出力系統１２９に加えて、電源供給ライン１２６に接続される出力系統１３０を有している。
【０１１５】
また、収容ユニット３が、電源供給ライン１４３及び電源供給ライン１４４に加えて電源供給ライン１４５を有しており、電源入力部１４１が、入力系統１５１及び入力系統１５２に加えて入力系統１５３を有している。また、電源出力部１４２が出力系統１５５及び出力系統１５６に加えて出力系統１５７を有している。入力系統１５３及び出力系統１５７が電源供給ライン１４５に接続されている。なお、紙葉類処理装置１が４つ以上の電源供給ラインを有する場合も同様である。
【０１１６】
第２実施形態として、例えば、図１６に示すように、１台の計数ユニット２に６台の収容ユニット３が連設されて構成される紙葉類処理装置１を例にとり説明する。ここでは、６台の収容ユニット３及びそれぞれの構成を、紙幣搬送方向の計数ユニット２に近い側から順に、符号に（Ａ），（Ｂ），（Ｃ），（Ｄ），（Ｅ），（Ｆ）を付けて区別する。
【０１１７】
第１電源接続部１２０から給電を受ける第１電源供給ライン１８１は、電源供給ライン１２４、電源出力部１２３の出力系統１２８、電源入力部１４１（Ａ）の入力系統１５１（Ａ）、電源供給ライン１４３（Ａ）、電源出力部１４２（Ａ）の出力系統１５５（Ａ）、電源入力部１４１（Ｂ）の入力系統１５３（Ｂ）、電源供給ライン１４５（Ｂ）、電源出力部１４２（Ｂ）の出力系統１５７（Ｂ）、電源入力部１４１（Ｃ）の入力系統１５２（Ｃ）、電源供給ライン１４４（Ｃ）、電源出力部１４２（Ｃ）の出力系統１５６（Ｃ）、電源入力部１４１（Ｄ）の入力系統１５１（Ｄ）、電源供給ライン１４３（Ｄ）、電源出力部１４２（Ｄ）の出力系統１５５（Ｄ）、電源入力部１４１（Ｅ）の入力系統１５３（Ｅ）、電源供給ライン１４５（Ｅ）、電源出力部１４２（Ｅ）の出力系統１５７（Ｅ）、電源入力部１４１（Ｆ）の入力系統１５２（Ｆ）、電源供給ライン１４４（Ｆ）及び電源出力部１４２（Ｆ）の出力系統１５６（Ｆ）で構成されている。
【０１１８】
第２電源接続部１２１から給電を受ける第２電源供給ライン１８２は、電源供給ライン１２５、電源出力部１２３の出力系統１２９、電源入力部１４１（Ａ）の入力系統１５２（Ａ）、電源供給ライン１４４（Ａ）、電源出力部１４２（Ａ）の出力系統１５６（Ａ）、電源入力部１４１（Ｂ）の入力系統１５１（Ｂ）、電源供給ライン１４３（Ｂ）、電源出力部１４２（Ｂ）の出力系統１５５（Ｂ）、電源入力部１４１（Ｃ）の入力系統１５３（Ｃ）、電源供給ライン１４５（Ｃ）、電源出力部１４２（Ｃ）の出力系統１５７（Ｃ）、電源入力部１４１（Ｄ）の入力系統１５２（Ｄ）、電源供給ライン１４４（Ｄ）、電源出力部１４２（Ｄ）の出力系統１５６（Ｄ）、電源入力部１４１（Ｅ）の入力系統１５１（Ｅ）、電源供給ライン１４３（Ｅ）、電源出力部１４２（Ｅ）の出力系統１５５（Ｅ）、電源入力部１４１（Ｆ）の入力系統１５３（Ｆ）、電源供給ライン１４５（Ｆ）及び電源出力部１４２（Ｆ）の出力系統１５７（Ｆ）で構成されている。
【０１１９】
第３電源接続部１２２から給電を受ける第３電源供給ライン１８３は、電源供給ライン１２６、電源出力部１２３の出力系統１３０、電源入力部１４１（Ａ）の入力系統１５３（Ａ）、電源供給ライン１４５（Ａ）、電源出力部１４２（Ａ）の出力系統１５７（Ａ）、電源入力部１４１（Ｂ）の入力系統１５２（Ｂ）、電源供給ライン１４４（Ｂ）、電源出力部１４２（Ｂ）の出力系統１５６（Ｂ）、電源入力部１４１（Ｃ）の入力系統１５１（Ｃ）、電源供給ライン１４３（Ｃ）、電源出力部１４２（Ｃ）の出力系統１５５（Ｃ）、電源入力部１４１（Ｄ）の入力系統１５３（Ｄ）、電源供給ライン１４５（Ｄ）、電源出力部１４２（Ｄ）の出力系統１５７（Ｄ）、電源入力部１４１（Ｅ）の入力系統１５２（Ｅ）、電源供給ライン１４４（Ｅ）、電源出力部１４２（Ｅ）の出力系統１５６（Ｅ）、電源入力部１４１（Ｆ）の入力系統１５１（Ｆ）、電源供給ライン１４３（Ｆ）及び電源出力部１４２（Ｆ）の出力系統１５５（Ｆ）で構成されている。
【０１２０】
「第１動作シーケンス」
第１動作シーケンスは、交流直流変換部１７２を第１電源供給ライン１８１に接続させている収容ユニット３（Ａ），３（Ｄ）に先に電源を供給した後、交流直流変換部１７２を第２電源供給ライン１８２に接続させている収容ユニット３（Ｂ），３（Ｅ）に電源を供給し、その後、交流直流変換部１７２を第３電源供給ライン１８３に接続させている収容ユニット３（Ｃ），３（Ｆ）に電源を供給する。この第１動作シーケンスは、突入電流を抑制する動作シーケンスとなっている。
【０１２１】
先ず、計数ユニット２の制御部３２が、電源供給ライン１２４上にある第１スイッチ１３５をオンすると、収容ユニット３（Ａ）の電源供給ライン１４３（Ａ）に接続されている交流直流変換部１７２（Ａ）が交流電流を直流電流に変換して電源制御部１７３（Ａ）に出力し、電源制御部１７３（Ａ）を起動する。このとき、収容ユニット３（Ａ）に電源が入り、収容ユニット３（Ａ）の駆動部品やセンサなどが駆動可能な状態となる。
【０１２２】
次に、計数ユニット２の制御部３２が、収容ユニット３（Ａ）の電源制御部１７３（Ａ）に向けて、スイッチ１７１（Ａ）で電源供給ライン１４３（Ａ）をオンするように制御信号を送信し、この制御信号を受けて、電源制御部１７３（Ａ）が、スイッチ１７１（Ａ）で電源供給ライン１４３（Ａ）をオンする。
【０１２３】
すると、収容ユニット３（Ａ）の電源供給ライン１４３（Ａ）から、収容ユニット３（Ｂ）の電源供給ライン１４５（Ｂ）と、収容ユニット３（Ｃ）の電源供給ライン１４４（Ｃ）と、収容ユニット３（Ｄ）の電源供給ライン１４３（Ｄ）とを介して、収容ユニット３（Ｄ）の交流直流変換部１７２（Ｄ）に電源を供給し、交流直流変換部１７２（Ｄ）が交流電流を直流電流に変換して電源制御部１７３（Ｄ）に出力して、電源制御部１７３（Ｄ）を起動する。このとき、収容ユニット３（Ｄ）に電源が入り、収容ユニット３（Ｄ）の駆動部品やセンサなどが駆動可能な状態となる。このようにして、交流直流変換部１７２を第１電源供給ライン１８１に接続させている収容ユニット３（Ａ），３（Ｄ）に電源を供給する。
【０１２４】
上記のようにして、交流直流変換部１７２を第１電源供給ライン１８１に接続させている収容ユニット３（Ａ），３（Ｄ）に電源を供給した後、計数ユニット２の制御部３２が、電源供給ライン１２５上にある第２スイッチ１３６をオンすると、収容ユニット３（Ａ）の電源供給ライン１４４（Ａ）を介して収容ユニット３（Ｂ）の電源供給ライン１４３（Ｂ）から交流直流変換部１７２（Ｂ）に電源を供給し、交流直流変換部１７２（Ｂ）が交流電流を直流電流に変換して電源制御部１７３（Ｂ）に出力して、電源制御部１７３（Ｂ）を起動する。このとき、収容ユニット３（Ｂ）に電源が入り、収容ユニット３（Ｂ）の駆動部品やセンサなどが駆動可能な状態となる。
【０１２５】
次に、計数ユニット２の制御部３２が、収容ユニット３（Ｂ）の電源制御部１７３（Ｂ）に向けて、スイッチ１７１（Ｂ）で電源供給ライン１４３（Ｂ）をオンするように制御信号を送信する。この制御信号を受けて、電源制御部１７３（Ｂ）が、スイッチ１７１（Ｂ）で電源供給ライン１４３（Ｂ）をオンする。
【０１２６】
すると、収容ユニット３（Ｂ）の電源供給ライン１４３（Ｂ）から、収容ユニット３（Ｃ）の電源供給ライン１４５（Ｃ）と、収容ユニット３（Ｄ）の電源供給ライン１４４（Ｄ）と、収容ユニット３（Ｅ）の電源供給ライン１４３（Ｅ）とを介して、収容ユニット３（Ｅ）の交流直流変換部１７２（Ｅ）に電源を供給し、交流直流変換部１７２（Ｅ）が交流電流を直流電流に変換して電源制御部１７３（Ｅ）に出力して、電源制御部１７３（Ｅ）を起動する。このとき、収容ユニット３（Ｅ）に電源が入り、収容ユニット３（Ｅ）の駆動部品やセンサなどが駆動可能な状態となる。このようにして、交流直流変換部１７２を第２電源供給ライン１８２に接続させている収容ユニット３（Ｂ），３（Ｅ）に電源を供給する。
【０１２７】
上記のようにして、交流直流変換部１７２を第２電源供給ライン１８２に接続させている収容ユニット３（Ｂ），３（Ｅ）に電源を供給した後、計数ユニット２の制御部３２が、電源供給ライン１２６上にある第３スイッチ１３７をオンすると、収容ユニット３（Ａ）の電源供給ライン１４５（Ａ）、収容ユニット３（Ｂ）の電源供給ライン１４４（Ｂ）及び収容ユニット３（Ｃ）の電源供給ライン１４３（Ｃ）を介して収容ユニット３（Ｃ）の交流直流変換部１７２（Ｃ）に電源を供給し、交流直流変換部１７２（Ｃ）が交流電流を直流電流に変換して電源制御部１７３（Ｃ）に出力して、電源制御部１７３（Ｃ）を起動する。このとき、収容ユニット３（Ｃ）に電源が入り、収容ユニット３（Ｃ）の駆動部品やセンサなどが駆動可能な状態となる。
【０１２８】
次に、計数ユニット２の制御部３２が、収容ユニット３（Ｃ）の電源制御部１７３（Ｃ）に向けて、スイッチ１７１（Ｃ）で、電源供給ライン１４３（Ｃ）をオンするように制御信号を送信する。この制御信号を受けて、電源制御部１７３（Ｃ）が、スイッチ１７１（Ｃ）で電源供給ライン１４３（Ｃ）をオンする。
【０１２９】
すると、収容ユニット３（Ｃ）の電源供給ライン１４３（Ｃ）から、収容ユニット３（Ｄ）の電源供給ライン１４５（Ｄ）と、収容ユニット３（Ｅ）の電源供給ライン１４４（Ｅ）と、収容ユニット３（Ｆ）の電源供給ライン１４３（Ｆ）とを介して、収容ユニット３（Ｆ）の交流直流変換部１７２（Ｆ）に電源を供給し、交流直流変換部１７２（Ｆ）が交流電流を直流電流に変換して電源制御部１７３（Ｆ）に出力して電源制御部１７３（Ｆ）を起動する。このとき、収容ユニット３（Ｆ）に電源が入り、収容ユニット３（Ｆ）の駆動部品やセンサなどが駆動可能な状態となる。このようにして、交流直流変換部１７２を第３電源供給ライン１８３に接続させている収容ユニット３（Ｃ），３（Ｆ）に電源を供給する。
【０１３０】
第２実施形態の第１動作シーケンスは、突入電流を抑制して電源投入することが可能となる。また、電源系統を第１電源供給ライン１８１、第２電源供給ライン１８２及び第３電源供給ライン１８３の３系統に分けたことにより、第１実施形態の構成に比べて、１系統当たりの最大定格電流値を更に抑えることができる。
【０１３１】
「第２動作シーケンス」
第２動作シーケンスは、交流直流変換部１７２を第１電源供給ライン１８１に接続させている収容ユニット３（Ａ）への電源供給と並行して、交流直流変換部１７２を第２電源供給ライン１８２に接続させている収容ユニット３（Ｂ）に電源を供給し、これらと並行して、交流直流変換部１７２を第３電源供給ライン１８３に接続させている収容ユニット３（Ｃ）に電源を供給する。その後、交流直流変換部１７２を第１電源供給ライン１８１に接続させている収容ユニット３（Ｄ）への電源供給と並行して、交流直流変換部１７２を第２電源供給ライン１８２に接続させている収容ユニット３（Ｅ）に電源を供給し、これらと並行して、交流直流変換部１７２を第３電源供給ライン１８３に接続させている収容ユニット３（Ｆ）に電源を供給する。
【０１３２】
先ず、計数ユニット２の制御部３２が、電源供給ライン１２４上にある第１スイッチ１３５をオンすると共に、これと並行して電源供給ライン１２５上にある第２スイッチ１３６をオンし、更に、これらと並行して電源供給ライン１２６上にある第３スイッチ１３７をオンする。すると、収容ユニット３（Ａ）内の電源供給ライン１４３（Ａ）に接続されている交流直流変換部１７２（Ａ）が交流電流を直流電流に変換して電源制御部１７３（Ａ）に出力し、電源制御部１７３（Ａ）を起動する。このとき、収容ユニット３（Ａ）に電源が入り、収容ユニット３（Ａ）の駆動部品やセンサなどが駆動可能な状態となる。また、収容ユニット３（Ｂ）内の電源供給ライン１４３（Ｂ）に接続されている交流直流変換部１７２（Ｂ）が交流電流を直流電流に変換して電源制御部１７３（Ｂ）に出力し、電源制御部１７３（Ｂ）を起動する。このとき、収容ユニット３（Ｂ）に電源が入り、収容ユニット３（Ｂ）の駆動部品やセンサなどが駆動可能な状態となる。更に、収容ユニット３（Ｃ）内の電源供給ライン１４３（Ｃ）に接続されている交流直流変換部１７２（Ｃ）が交流電流を直流電流に変換して電源制御部１７３（Ｃ）に出力し、電源制御部１７３（Ｃ）を起動する。このとき、収容ユニット３（Ｃ）に電源が入り、収容ユニット３（Ｃ）の駆動部品やセンサなどが駆動可能な状態となる。
【０１３３】
次に、計数ユニット２の制御部３２が、収容ユニット３（Ａ）の電源制御部１７３（Ａ）に向けて、スイッチ１７１（Ａ）で電源供給ライン１４３（Ａ）をオンするように制御信号を送信すると共に、これと並行して収容ユニット３（Ｂ）の電源制御部１７３（Ｂ）に向けて、スイッチ１７１（Ｂ）で電源供給ライン１４３（Ｂ）をオンするように制御信号を送信し、更に、これらと並行して収容ユニット３（Ｃ）の電源制御部１７３（Ｃ）に向けて、スイッチ１７１（Ｃ）で電源供給ライン１４３（Ｃ）をオンするように制御信号を送信する。
【０１３４】
制御信号を受けて、収容ユニット３（Ａ）の電源制御部１７３（Ａ）が、スイッチ１７１（Ａ）で電源供給ライン１４３（Ａ）をオンし、収容ユニット３（Ｂ）の電源制御部１７３（Ｂ）が、スイッチ１７１（Ｂ）で電源供給ライン１４３（Ｂ）をオンし、収容ユニット３（Ｃ）の電源制御部１７３（Ｃ）が、スイッチ１７１（Ｃ）で電源供給ライン１４３（Ｃ）をオンする。
【０１３５】
すると、収容ユニット３（Ａ）の電源供給ライン１４３（Ａ）から、収容ユニット３（Ｂ）の電源供給ライン１４５（Ｂ）と、収容ユニット３（Ｃ）の電源供給ライン１４４（Ｃ）と、収容ユニット３（Ｄ）の電源供給ライン１４３（Ｄ）とを介して、収容ユニット３（Ｄ）の交流直流変換部１７２（Ｄ）に電源を供給し、交流直流変換部１７２（Ｄ）が交流電流を直流電流に変換して電源制御部１７３（Ｄ）に出力して電源制御部１７３（Ｄ）を起動する。このとき、収容ユニット３（Ｄ）に電源が入り、収容ユニット３（Ｄ）の駆動部品やセンサなどが駆動可能な状態となる。
【０１３６】
また、収容ユニット３（Ｂ）の電源供給ライン１４３（Ｂ）から、収容ユニット３（Ｃ）の電源供給ライン１４５（Ｃ）と、収容ユニット３（Ｄ）の電源供給ライン１４４（Ｄ）と、収容ユニット３（Ｅ）の電源供給ライン１４３（Ｅ）とを介して、収容ユニット３（Ｅ）の交流直流変換部１７２（Ｅ）に電源を供給し、交流直流変換部１７２（Ｅ）が交流電流を直流電流に変換して電源制御部１７３（Ｅ）に出力して、電源制御部１７３（Ｅ）を起動する。このとき、収容ユニット３（Ｅ）に電源が入り、収容ユニット３（Ｅ）の駆動部品やセンサなどが駆動可能な状態となる。
【０１３７】
更に、収容ユニット３（Ｃ）の電源供給ライン１４３（Ｃ）から、収容ユニット３（Ｄ）の電源供給ライン１４５（Ｄ）と、収容ユニット３（Ｅ）の電源供給ライン１４４（Ｅ）と、収容ユニット３（Ｆ）の電源供給ライン１４３（Ｆ）とを介して、収容ユニット３（Ｆ）の交流直流変換部１７２（Ｆ）に電源を供給し、交流直流変換部１７２（Ｆ）が交流電流を直流電流に変換して電源制御部１７３（Ｆ）に出力して、電源制御部１７３（Ｆ）を起動する。このとき、収容ユニット３（Ｆ）に電源が入り、収容ユニット３（Ｆ）の駆動部品やセンサなどが駆動可能な状態となる。
【０１３８】
以上により、全ての収容ユニット３（Ａ）〜３（Ｆ）の電源投入が終了する。
【０１３９】
第２実施形態の第２動作シーケンスも、第１動作シーケンスよりも電源投入の時短を図ることができる。
【０１４０】
なお、以上においては、紙葉類処理装置１の収容ユニット３が紙葉類を分類収容する場合を例にとり説明したが、これに限定されることはなく、紙葉類の処理を行うユニットであれば良い。
【０１４１】
また、以上においては、媒体処理装置として、媒体としての紙葉類を処理する紙葉類処理装置を例にとり説明したが、媒体として硬貨を処理する硬貨処理装置にも適用できる。
【符号の説明】
【０１４２】
１  紙葉類処理装置（媒体処理装置）
２  計数ユニット（媒体計数本体部）
３  収容ユニット（媒体処理ユニット）
２７Ａ  連結搬送構成部（媒体搬送路）
１２４〜１２６  電源供給ライン
１３８  Ｉ／Ｆ出力部
１４１  電源入力部
１４２  電源出力部
１４３〜１４５  電源供給ライン
１７１  スイッチ（スイッチ手段）
１７３  電源制御部
Ｓ  紙葉類（媒体）
【図１】
2020052528.tif 000003
【図２】
2020052528.tif 000004
【図３】
2020052528.tif 000005
【図４】
2020052528.tif 000006
【図５】
2020052528.tif 000007
【図６】
2020052528.tif 000008
【図７】
2020052528.tif 000009
【図８】
2020052528.tif 000010
【図９】
2020052528.tif 000011
【図１０】
2020052528.tif 000012
【図１１】
2020052528.tif 000013
【図１２】
2020052528.tif 000014
【図１３】
2020052528.tif 000015
【図１４】
2020052528.tif 000016
【図１５】
2020052528.tif 000017
【図１６】
2020052528.tif 000018